(57)【要約】  【課題】  玄関口における浮遊菌やカビの問題を、ドアを閉めたままで効果的に解決できるドア装置を提供する。  【解決手段】  ドア１０の内部は空洞１２となっており、その下部に送風ダクト２０が設置される。送風ダクト２０の一方の側面に形成された吸込口２１はドア１０の屋外側側面に露出し、他方の側面に形成された吹出口２２はドア１０の室内側側面に露出する。吸込口２１と吹出口２２の間には送風装置２５が設置される。送風ダクト２０の天面にはイオン発生装置３０が設置される。イオン発生装置３０は電極に交流電圧を印加することにより発生したマイナスイオンとプラスイオンを送風ダクト２０の内部に放出するものであり、イオン混じりの空気は吹出口２２から玄関口１に吹き出される。制御装置４０はドア１０の開閉センサ４１又は環境センサ４２からの信号に基づき動作制御を行う。  【選択図】    図４
2006219815.tif 000002
【特許請求の範囲】
【請求項１】
ドアに、電極に交流電圧を印加することによりマイナスイオンとプラスイオンとを発生させるイオン発生装置と、このイオン発生装置で発生したマイナスイオンとプラスイオンを含む空気を室内に向けて吹き出す送風装置とを設置したことを特徴とするドア装置。
【請求項２】
屋外から取り入れた空気に前記マイナスイオンとプラスイオンを混入し、それを室内に向けて吹き出すことを特徴とする請求項１に記載のドア装置。
【請求項３】
室内から取り入れた空気に前記マイナスイオンとプラスイオンを混入し、それを室内に向けて吹き出すことを特徴とする請求項１に記載のドア装置。
【請求項４】
前記マイナスイオンとプラスイオンを含む空気の吹出口に風向調節装置を設けたことを特徴とする請求項１〜３のいずれか１項に記載のドア装置。
【請求項５】
前記風向調節装置は、室内側の床周辺に空気を吹き出させることが可能であることを特徴とする請求項４に記載のドア装置。
【請求項６】
ドアの開閉を検知する開閉センサを設け、この開閉センサがドアの開放を検知したとき、前記イオン発生装置及び送風装置を駆動することを特徴とする請求項１〜３のいずれか１項に記載のドア装置。
【請求項７】
ドア周辺の環境パラメータを測定する環境センサを設け、この環境センサの測定値に基づき前記イオン発生装置及び送風装置の駆動を制御することを特徴とする請求項１〜３のいずれか１項に記載のドア装置。
【発明の詳細な説明】
【技術分野】
【０００１】
本発明は建物のドア装置に関する。
【背景技術】
【０００２】
近年の建物は一般的に密閉性が高い。鉄筋コンクリートの建物は特にこの傾向が強い。密閉性の高い建物は室内に臭気や湿気がこもりやすく、また室内に侵入した塵埃、ダニの死骸などの微粒子、カビなどの浮遊菌、あるいはウィルスなどが室内に溜まるという問題がある。特に玄関口は人の出入りと共に外から微粒子や浮遊菌が入り込みやすい。また雨天の場合など、濡れた傘や靴を出しっぱなしにしておくと湿気が多くなり、カビが発生しやすくなるという問題もある。
【０００３】
上記のような問題は、玄関のドアを開け、室内から屋外への空気流を形成するようにすれば解決できる。しかしながらこれは室内から屋外への空気流を形成するのに専用の送風装置が必要になるうえ、ドアが防犯の用をなさなくなるという問題がある。
【０００４】
特許文献１には、脱臭／除湿／マイナスイオン発生素材を塗布又は混入したペーパハニカム等からなる空気浄化作用体をドア本体内に配設し、ドアを閉め切ったままでも室内空気の浄化を行えるようにしたドア装置が開示されている。
【０００５】
特許文献２には、電極に交流電圧を印加してマイナスイオンとプラスイオンを発生させ、マイナスイオンとプラスイオンの双方の働きで空気中の浮遊菌を積極的に除去するようにした空気調節装置が開示されている。
【特許文献１】特開２００３−２５３９７３号公報（第２頁−第３頁、図１−図５）
【特許文献２】特開２００４−６２９６号公報（第４頁−第１２頁、図１−図９）
【発明の開示】
【発明が解決しようとする課題】
【０００６】
特許文献１に開示されたドア装置は、室内空気の脱臭及び除湿と、マイナスイオンによる空気浄化作用は達成できるものの、空気中の浮遊菌の積極的な除菌までは行えない。また玄関口におけるカビの発生の問題に効果的に対処することも難しい。
【０００７】
特許文献２に開示された空気調節装置は、空気中の浮遊菌の除菌に道を開くものではあるが、人の出入りと共に外から浮遊菌が入り込みやすく、雨天の場合などカビが発生しやすいという、玄関口特有の問題に最適に対処できるとは言い難い。
【０００８】
本発明は上記の点に鑑みなされたものであり、玄関口における浮遊菌やカビの問題を、ドアを閉めたままで効果的に解決できるドア装置を提供することを目的とする。
【課題を解決するための手段】
【０００９】
（１）上記目的を達成するために本発明は、ドアに、電極に交流電圧を印加することによりマイナスイオンとプラスイオンとを発生させるイオン発生装置と、このイオン発生装置で発生したマイナスイオンとプラスイオンを含む空気を室内に向けて吹き出す送風装置とを設置したことを特徴としている。
【００１０】
この構成によると、マイナスイオンとプラスイオンを含む空気をドアから室内に向けて吹き出すことにより、玄関口の空間に浮遊する細菌やカビ菌を除菌し、玄関口の環境を清浄に保つことができる。またマイナスイオンとプラスイオンはイオン発生装置により電気的に生成されるものであり、玄関口の空間浄化に必要な量のイオンを確実に得ることができる。
【００１１】
（２）また本発明は、上記構成のドア装置において、屋外から取り入れた空気に前記マイナスイオンとプラスイオンを混入し、それを室内に向けて吹き出すことを特徴としている。
【００１２】
この構成によると、屋外の新鮮な空気を、マイナスイオンとプラスイオンで除菌した形で室内に送り込むことができ、玄関口の環境を大いに改善できる。
【００１３】
（３）また本発明は、上記構成のドア装置において、室内から取り入れた空気に前記マイナスイオンとプラスイオンを混入し、それを室内に向けて吹き出すことを特徴としている。
【００１４】
この構成によると、ドアにより屋外と室内を隔絶し、塵埃や花粉などの好ましからざる物質が室内に侵入するのを防ぎつつ、玄関口の空気を除菌することができる。
【００１５】
（４）また本発明は、上記構成のドア装置において、前記マイナスイオンとプラスイオンを含む空気の吹出口に風向調節装置を設けたことを特徴としている。
【００１６】
この構成によると、マイナスイオンとプラスイオンを、それを送りたい方向に向けて送り出すことが可能になる。
【００１７】
（５）また本発明は、上記構成のドア装置において、前記風向調節装置は、室内側の床周辺に空気を吹き出させることが可能であることを特徴としている。
【００１８】
この構成によると、玄関口の床回りや、床の上に置かれた履物に空気を吹き付け、マイナスイオンとプラスイオンで除菌することが可能になる。また履物が濡れていた場合にはこれを乾燥させることができる。
【００１９】
（６）また本発明は、上記構成のドア装置において、ドアの開閉を検知する開閉センサを設け、この開閉センサがドアの開放を検知したとき、前記イオン発生装置及び送風装置を駆動することを特徴としている。
【００２０】
この構成によると、ドアが開き、屋外から浮遊菌が侵入した可能性があるときはマイナスイオンとプラスイオンを放出して除菌に努めるから、イオン発生装置及び送風装置を常時駆動しなくても、的確に除菌を行うことができる。
【００２１】
（７）また本発明は、上記構成のドア装置において、ドア周辺の環境パラメータを測定する環境センサを設け、この環境センサの測定値に基づき前記イオン発生装置及び送風装置の駆動を制御することを特徴としている。
【００２２】
この構成によると、イオン発生装置及び送風装置を駆動することが環境改善のために望ましいという状況に至ったときには確実にその駆動を行うことができ、環境改善のタイミングを逸することがない。
【発明の効果】
【００２３】
本発明によると、マイナスイオンとプラスイオンを含む空気により玄関口の空間に浮遊する細菌やカビ菌を除菌し、玄関口の環境を清浄に保つことができる。特に、玄関口に置かれた履物の乾燥や除菌、カビ防止などに効果が大きい。
【発明を実施するための最良の形態】
【００２４】
以下本発明の第１実施形態を図１−図４に基づき説明する。図１はドアの一部破断斜視図、図２はドアの断面図、図３はドアの第１の使用態様を示す説明図、図４はドアの第２の使用態様を示す説明図である。
【００２５】
ドア１０は図３に示す玄関口１のドア框２に取り付けられるものであり、片側（図１では左側）にドアノブ１１を備える。ドアノブ１１のある側と反対側が、図示しない蝶番によってドア框２に連結される。
【００２６】
ドア１０の内部は空洞１２となっており、その下部に送風ダクト２０が設置される。送風ダクト２０の一方の側面に形成された吸込口２１（図２参照）はドア１０の屋外側側面に露出し、他方の側面に形成された吹出口２２はドア１０の室内側側面に露出する。吸込口２１は格子状のグリル２３（図２参照）が、吹出口２２には風向調節装置２４が、それぞれ設けられている。風向調節装置２４は風向きを上下方向に変えるルーバーにより構成される。吸込口２１と吹出口２２の間には送風装置２５が設置される。送風装置２５はクロスフローファン２６及びこれを回転させるモータ２７よりなるものであり、モータ２７は送風ダクト２０の側面に取り付けられている。
【００２７】
送風ダクト２０の天面にはイオン発生装置３０が設置される。イオン発生装置３０は特許文献２に開示されたものと同様のものであり、電極に交流電圧を印加することによりマイナスイオンとプラスイオンを発生する。発生したマイナスイオンとプラスイオンは送風ダクト２０の内部に放出され、吹出口２２から吹き出される空気に混入される。
【００２８】
空洞１２には制御装置４０も設置される。制御装置４０は送風装置２５及びイオン発生装置３０の動作制御を司るものであり、制御にあたってはドア１０に設けられたセンサからの情報を参照する。センサには２種類あり、その１はドア１０の開閉を検知する開閉センサ４１、その２はドア周辺の環境パラメータを測定する環境センサ４２である。
【００２９】
開閉センサ４１はドア１０の開閉端に設置されるものであり、これは例えばホール素子や反射型光センサなどにより構成される。ホール素子の場合、ドア框２の適当な箇所に永久磁石を取り付けておく。
【００３０】
環境センサ４２はドア１０の室内側側面に設置される。環境センサ４２は複数種類のセンサを一つにまとめたものであり、温度、湿度、塵埃粒子数、臭気、ガスなどの環境パラメータを測定又は検知する。
【００３１】
上記構成を備えたドア１０は次のように動作する。開閉センサ４１は常時ドア１０の動きを監視している。開閉センサ４１から制御装置４０に、ドア１０の開放を知らせる信号が送られると、制御装置４０は、ドア１０が閉じられるのを待って送風装置２５及びイオン発生装置３０を駆動する。送風装置２５が駆動されることにより、屋外の空気が吸込口２１から吸い込まれ、吹出口２２から室内に吹き出される。この空気の中にイオン発生装置３０よりマイナスイオンとプラスイオンが放出され、マイナスイオンとプラスイオンは空気に混じって玄関口１の空間に拡散することになる。
【００３２】
イオン発生装置３０の電極間に交流高電圧が印加されるとプラズマ放電が生じ、空気中に含まれる水分子が電離して水素イオン（Ｈ+）が形成され、溶媒和エネルギーにより空気中の水分子が水素イオンとクラスタリングしてＨ+(Ｈ2Ｏ)nから成るプラスイオンが形成される。同様にプラズマ放電により空気中に含まれる酸素分子または水分子が電離して酸素イオン（Ｏ2-）が生成され、溶媒和エネルギーにより空気中の水分子が酸素イオンとクラスタリングしてＯ2-(Ｈ2Ｏ)mから成るマイナスイオンが形成される。
【００３３】
このマイナスイオンとプラスイオンとを所定の空間に同時に混在させると、空気中の浮遊菌の表面をＨ+(Ｈ2Ｏ)n及びＯ2-(Ｈ2Ｏ)mが取り囲み、両イオンが下記の式（１）〜（３）のように化学反応して、活性種である［・ＯＨ］（水酸基ラジカル）やＨ2Ｏ2（過酸化水素）を生成する。これにより、活性種の分解作用で浮遊細菌が破壊され、殺菌が行われる。従って、効率的に空気中の浮遊細菌を殺菌除去することができる。
Ｈ+(Ｈ2Ｏ)n＋Ｏ2-(Ｈ2Ｏ)m→・ＯＨ＋1/2Ｏ2＋(n+m)Ｈ2Ｏ     ・・・（１）
Ｈ+(Ｈ2Ｏ)n＋Ｈ+(Ｈ2Ｏ)n'＋Ｏ2-(Ｈ2Ｏ)m＋Ｏ2-(Ｈ2Ｏ)m'
→ 2・ＯＨ＋Ｏ2＋(n+n'+m+m')Ｈ2Ｏ ・・・（２）
Ｈ+(Ｈ2Ｏ)n＋Ｈ+(Ｈ2Ｏ)n'＋Ｏ2-(Ｈ2Ｏ)m＋Ｏ2-(Ｈ2Ｏ)m'
→ Ｈ2Ｏ2＋Ｏ2＋(n+n'+m+m')Ｈ2Ｏ ・・・（３）
上記の式（１）〜式（３）において、n、n'、m、m'は任意の自然数である。
【００３４】
制御装置４０に内蔵されたタイマの働きにより、送風装置２５とイオン発生装置３０は一定時間運転を続け、その間玄関口１にはマイナスイオンとプラスイオンが送出され続ける。ここで風向調節装置２４のルーバーの向きを図３のように上向きにしておくと、玄関口１の空間全体にマイナスイオンとプラスイオンが行き渡り、空気中の浮遊菌が除菌される。
【００３５】
風向調節装置２４のルーバーの向きを図４のように下向きにしておくと、風は玄関口１の床３の周辺に吹き出す。これにより、床３の上に存在する細菌やカビ菌が除菌される。また、床３の上に履物、例えば靴４が置かれていれば、靴４にマイナスイオンとプラスイオンが吹き付けられ、靴４も除菌される。雨天に外出して靴４が濡れていたような場合には、風で靴４を乾かすこともできる。
【００３６】
吹出口２２から吹き出す風をどのような方向に吹き出したらよいかは吹出口２２の高さによって決まる。吹出口２２が十分低い位置にあれば、空気を正面に向かって吹き出すだけでも床３の周辺に送風することができる。逆に吹出口２２が高い位置にある場合でも、風向調節装置２４で下向きに角度をつけて吹き出すことにより、床３の周辺に送風することができる。
【００３７】
風向調節装置２４として電動ルーバーを用いた場合には、次のような動作も可能である。すなわち送風装置２５とイオン発生装置３０の駆動開始後、一定時間は上向きに送風して玄関口１の空間全体の空気を浄化する。一定時間経過後、送風の向きを下向きにして、床３の周辺を集中的に除菌するのである。
【００３８】
図の風向調節装置２４は風向きを上下方向に変えるルーバーのみにより構成されているが、風向きを左右方向に変えるルーバーを追加してもよい。これは手動ルーバーであっても電動ルーバーであっても同じである。
【００３９】
制御装置４０は、開閉センサ４１からの信号ばかりでなく、環境センサ４２からの信号によっても送風装置２５とイオン発生装置３０を駆動する。すなわち環境センサ４２からの信号により、玄関口１の空間の温度と湿度が細菌やカビの繁殖に適するレベルになったことが判明したときは、制御装置４０は送風装置２５とイオン発生装置３０を所定時間駆動し、マイナスイオンとプラスイオンを放出して除菌を行う。塵埃粒子数が所定レベルを超えたり、臭気や特定のガスを検知したときなども、送風装置２５とイオン発生装置３０を所定時間駆動し、玄関口１の換気と空気浄化を行う。
【００４０】
なお、開閉センサ４１又は環境センサ４２からの信号だけをイオン放出の動機付けとするのでなく、ドア１０の適当な箇所に手動スイッチを配置しておき、居住者が任意に送風装置２５とイオン発生装置３０を運転できるようにしておいてもよい。
【００４１】
本発明の第２実施形態を図５、６に基づき説明する。図５はドアの一部破断斜視図、図６はドアの断面図である。
【００４２】
第１実施形態では、屋外から取り入れた空気にマイナスイオンとプラスイオンを混入していた。第２実施形態では、屋外から取り入れた空気でなく、室内から取り入れた空気にマイナスイオンとプラスイオンを混入する。すなわち第２実施形態の送風ダクト２０には屋外から空気を取り入れるための吸込口がない。その代わり、空洞１２の中を垂直方向に延びる送風ダクト５０が送風装置２５の入口側に接続されている。送風ダクト５０の上端はドア１０の上部に設けられた空気取り入れダクト５１に接続する。空気取り入れダクト５１の空気取り入れ口５２はドア１０の室内側側面に露出している。送風ダクト２０から空気取り入れダクト５１まで長い距離があり、送風装置２５の吸引力だけでは十分な量の空気を吸い込むことが難しいので、空気取り入れダクト５１にもクロスフローファン５４とこれを回転させるモータ５５からなる送風装置５３が設置されている。
【００４３】
制御装置４０は、開閉センサ４１又は環境センサ４２からの信号によって、あるいは居住者の手動スイッチ操作によって、送風装置２５、イオン発生装置３０、及び送風装置５３を駆動する。玄関口１の空気を循環させながらマイナスイオンとプラスイオンを放出することになり、ドア１０により屋外と室内を隔絶し、塵埃や花粉などの好ましからざる物質が室内に侵入するのを防ぎつつ、玄関口１の空気を除菌することができる。
【００４４】
以上、本発明の実施形態につき説明したが、本発明の範囲はこれに限定されるものではなく、発明の主旨を逸脱しない範囲で種々の変更を加えて実施することができる。
【産業上の利用可能性】
【００４５】
本発明は建築物のドア、特に屋外と室内を隔てるドアに広く利用可能である。
【図面の簡単な説明】
【００４６】
【図１】第１実施形態に係るドアの一部破断斜視図
【図２】上記ドアの断面図
【図３】上記ドアの第１の使用態様を示す説明図
【図４】上記ドアの第２の使用態様を示す説明図
【図５】第２実施形態に係るドアの一部破断斜視図
【図６】上記ドアの断面図
【符号の説明】
【００４７】
１    玄関口
２    ドア框
３    床
１０  ドア
２０  送風ダクト
２１  吸込口
２２  吹出口
２４  風向調節装置
２５  送風装置
３０  イオン発生装置
４０  制御装置
４１  開閉センサ
４２  環境センサ
５０  送風ダクト
５１  空気取り入れダクト
５２  空気取り入れ口
５３  送風装置
【図１】
2006219815.tif 000003
【図２】
2006219815.tif 000004
【図３】
2006219815.tif 000005
【図４】
2006219815.tif 000006
【図５】
2006219815.tif 000007
【図６】
2006219815.tif 000008